(57)【要約】【課題】表示装置が有する表示パネルの表示領域の周縁から表示装置の外側面までの距離を短くする。【解決手段】表示領域とその周辺領域とを有する液晶表示パネルと、表示領域発光エリア、この表示領域発光エリアの周囲に設けられた表示領域発光周辺エリア及び表示領域発光周辺エリアの外側周辺にその外方に突出する形状で一体的に設けられた複数の突出部とを有する導光板と、前記表示パネルの周辺領域を保持する複数のパネル保持部を有するフレームと、を備え、前記フレームの本体部と前記導光板の表示領域発光周辺部との間には、前記導光板の前記表示領域発光周辺部から外方に向けて前記導光板の前記突出部が突出する長さと同じ幅を有し該突出部が配置された突出部配置領域が、前記導光板の表示領域発光周辺部をその全周にわたって取り囲むように介在されており、前記表示パネルが前記突出部配置領域内で前記パネル保持部によって保持されている。【選択図】      図１
2012004056.tif 000002
【特許請求の範囲】
【請求項１】
画像を表示する表示領域と該表示領域の周辺に設けられた周辺領域とを有する表示パネルと、
枠状の本体部と、該本体部から枠の内方に突出させて設けられ前記表示パネルの前記周辺領域を後側から保持するパネル保持部とを有するフレームと、
前記フレームの内方に前記表示パネルと重ねられるように配置された導光板と、を備える表示装置であって、
前記導光板は、前記表示パネルの前記表示領域に重なる主部と、該主部の外方に向かって突出する形状で該主部の周縁に一体的に設けられた突出部とを有し、
前記フレームの前記本体部と前記導光板の前記主部との間には、前記突出部が配置された突出部配置領域が前記導光板の前記主部をその全周にわたって取り囲むように介在されており、
該突出部配置領域は、前記導光板の前記主部から外方に向けて前記突出部が突出する長さと同じ幅を、前記導光板の前記主部のうち前記突出部が形成された辺の全長にわたって有し、
前記表示パネルが前記突出部配置領域内で前記パネル保持部によって保持されていることを特徴とする表示装置。
【請求項２】
前記導光板の前記主部は、前記表示パネルの表示領域に照明光を照射する表示領域発光部と、前記表示領域発光部の周囲の照明光を均一化するために前記表示領域発光部の周辺に設けられた表示領域発光周辺部と、からなり、前記突出部は前記表示領域発光周辺部の周縁に該表示領域発光周辺部の外方に向かって突出する形状で一体的に設けられていることを特徴とする請求項１に記載の表示装置。
【請求項３】
前記導光板の突出部の側面のうちの一つが前記フレームの前記本体部の内側面に対向するように、該突出部は前記突出部配置領域の全幅にわたって配置され、
前記パネル保持部の側面のうちの一つが前記導光板の前記主部の外側面に対向するように、該パネル保持部は前記突出部配置領域の全幅にわたって配置されていることを特徴とする請求項１または２に記載の表示装置。
【請求項４】
前記導光板は、透明樹脂の射出成型によって形成され、前記突出部は前記射出成型時のイジェクトピンが当接するイジェクトピン当接部であることを特徴とする請求項１〜３のいずれかに記載の表示装置。
【請求項５】
前記表示パネル及び前記フレームは矩形型の平面形状をしていることを特徴とする請求項１〜４のいずれかに記載の表示装置。
【請求項６】
前記パネル保持部と前記突出部とが隣接していることを特徴とする請求項１〜５のいずれかに記載の表示装置。
【請求項７】
前記パネル保持部は前記フレームの前記本体部の少なくとも一つの辺に複数設けられており、前記複数のパネル保持部のうち隣り合う二つのパネル保持部の間に前記突出部が配置されることを特徴とする請求項１〜６のいずれかに記載の表示装置。
【請求項８】
前記突出部の側面の第一の所定領域と、前記パネル保持部の側面のうち、前記突出部の第一の所定領域と対向する第二の所定領域とが互いに平行であることを特徴とする請求項６または７に記載の表示装置。
【請求項９】
前記突出部の平面形状は、矩形状、三角形状、円弧状および波型形状のうちいずれかであることを特徴とする請求項１〜８のいずれかに記載の表示装置。
【請求項１０】
前記パネル保持部の平面形状は、矩形状、三角形状、円弧状および波型形状のうちいずれかであることを特徴とする請求項１〜９のいずれかに記載の表示装置。
【発明の詳細な説明】
【技術分野】
【０００１】
この発明は、表示パネルと面状光源とを備えた表示装置に関する。
【背景技術】
【０００２】
表示パネルと、その表示パネルの後側に重ねられるように配置され、該表示パネルを照明する面状光源と、枠状に形成され、前記表示パネル及び前記面状光源を収納するフレームとを備え、前記表示パネルが前記面状光源の外側に配置されるフレームの段部によって支持される表示装置（特許文献１参照）が知られている。
【先行技術文献】
【特許文献】
【０００３】
【特許文献１】特開２０１０−８５５４８号公報
【発明の概要】
【発明が解決しようとする課題】
【０００４】
ところで、例えばデジタルカメラや携帯電話に搭載される表示装置において、外形寸法の小型化が望まれている。しかしながら、上述した表示装置では、表示パネルを支持する段部が該フレームの全周にわたって設けられているため、表示装置のうち表示パネルの表示領域よりも外方に配置される枠状の部分の幅、即ち、表示領域の周縁から表示装置の外側面までの距離が長くなってしまうという問題があった。
この発明は、表示領域の周縁から表示装置の外側面までの距離を短くした表示装置を提供することを目的としたものである。
【課題を解決するための手段】
【０００５】
この発明の請求項１に記載の表示装置は、画像を表示する表示領域と該表示領域の周辺に設けられた周辺領域とを有する表示パネルと、枠状の本体部と、該本体部から枠の内方に突出させて設けられ前記表示パネルの前記周辺領域を後側から保持するパネル保持部とを有するフレームと、前記フレームの内方に前記表示パネルと重ねられるように配置された導光板と、を備える表示装置であって、前記導光板は、前記表示パネルの前記表示領域に重なる主部と、該主部の外方に向かって突出する形状で該主部の周縁に一体的に設けられた突出部とを有し、前記フレームの前記本体部と前記導光板の前記主部との間には、前記突出部が配置された突出部配置領域が前記導光板の前記主部をその全周にわたって取り囲むように介在されており、該突出部配置領域は、前記導光板の前記主部から外方に向けて前記突出部が突出する長さと同じ幅を、前記導光板の前記主部のうち前記突出部が形成された辺の全長にわたって有し、前記表示パネルが前記突出部配置領域内で前記パネル保持部によって保持されていることを特徴とする。
【０００６】
請求項２に記載の発明は、前記導光板の前記主部は、前記表示パネルの表示領域に照明光を照射する表示領域発光部と、前記表示領域発光部の周囲の照明光を均一化するために前記表示領域発光部の周辺に設けられた表示領域発光周辺部と、からなり、前記突出部は前記表示領域発光周辺部の周縁に該表示領域発光周辺部の外方に向かって突出する形状で一体的に設けられていることを特徴とする。
【０００７】
請求項３に記載の発明は、請求項１または２に記載の表示装置において、前記導光板の突出部の側面のうちの一つが前記フレームの前記本体部の内側面に対向するように、該突出部は前記突出部配置領域の全幅にわたって配置され、前記パネル保持部の側面のうちの一つが前記導光板の前記主部の外側面に対向するように、該パネル保持部は前記突出部配置領域の全幅にわたって配置されていることを特徴とする。
【０００８】
請求項４に記載の発明は、前記請求項１〜３のいずれかに記載の表示装置において、前記導光板は、透明樹脂の射出成型によって形成され、前記突出部は前記射出成型時のイジェクトピンが当接するイジェクトピン当接部であることを特徴とする。
【０００９】
請求項５に記載の発明は、前記請求項１〜４のいずれかに記載の表示装置において、前記表示パネル及び前記フレームは矩形型の平面形状をしていることを特徴とする。
【００１０】
請求項６に記載の発明は、請求項１〜５のいずれかに記載の表示装置において、前記パネル保持部と前記突出部とが隣接していることを特徴とする。
【００１１】
請求項７に記載の発明は、前記請求項１〜６のいずれかに記載の表示装置において、前記パネル保持部は前記フレームの前記本体部の少なくとも一つの辺に複数設けられており、前記複数のパネル保持部のうち隣り合う二つのパネル保持部の間に前記突出部が配置されることを特徴とする。
【００１２】
請求項８に記載の発明は、前記請求項６または７に記載の表示装置において、前記突出部の側面の第一の所定領域と、前記パネル保持部の側面のうち、前記突出部の第一の所定領域と対向する第二の所定領域とが互いに平行であることを特徴とする。
【００１３】
請求項９に記載の発明は、前記請求項１〜８のいずれかに記載の表示装置において、前記突出部の平面形状は、矩形状、三角形状、円弧状および波型形状のうちいずれかであることを特徴とする。
【００１４】
請求項１０に記載の発明は、前記請求項１〜９のいずれかに記載の表示装置において、前記パネル保持部の平面形状は、矩形状、三角形状、円弧状および波型形状のうちいずれかであることを特徴とする
【発明の効果】
【００１５】
この発明の表示装置によれば表示パネルの表示領域の周縁から前記表示装置の外側面までの距離を短くすることができる。
【図面の簡単な説明】
【００１６】
【図１】この発明の第１の実施形態を示す表示装置の分解斜視図。
【図２】第１の実施形態にかかる表示装置の一部の組み立て状態を示す斜視図。
【図３】第１の実施形態にかかる表示装置を、図２のIII−III線に沿って切断して示す拡大断面図。
【図４】第１の実施形態にかかる表示装置を、図２のIV−IV線に沿って切断して示す部分拡大断面図。
【図５】この発明の第２の実施形態にかかる表示装置の導光板を示す斜視図。
【図６】この発明の第２の実施形態にかかる表示装置のフレームを示す斜視図。
【図７】比較例としての従来の表示装置に用いられる導光板を示す斜視図。
【図８】比較例としての従来の表示装置の部分断面図。
【発明を実施するための形態】
【００１７】
［実施形態１］
図１〜図４はこの発明の第１の実施形態にかかる表示装置を示しており、図１は表示装置の分解斜視図、図２は表示装置の一部の組み立て状態を示す斜視図、図３は図２のIII−III線に沿って表示装置を切断して示す拡大断面図、図４は図２のIV−IV線に沿って表示装置を切断して示す部分拡大断面図である。
【００１８】
この発明の表示装置１は、図１乃至図４に示すように、矩形型の平面形状を有す表示パネル１０と、その後側に該表示パネル１０と重なるように配置された面状光源２０と、これらの表示パネル１０と面状光源２０とを収納する矩形型の平面形状を有す枠状のフレーム３０と、前記表示パネル１０と前記面状光源２０とが収納されたフレーム３０を、該フレーム３０の後側から収納する後ケース４０と、前記表示パネル１０の前面(表示パネルの一対の主面のうち前側の面)の表示領域１０ａを除いた領域である周辺領域１０ｂを覆った状態で、前記後ケース４０の前側から嵌め合わされる前ケース５０を備えている。
【００１９】
前記表示パネル１０は、例えば、予め定めた間隙を設けて対向配置された一対の透明基板１１，１２と、これらの一対の透明基板１１，１２の互いに向き合う面の少なくとも一方に形成された図示しない複数の透明電極と、これらの基板１１，１２間の間隙に封入された液晶１３と、前記一対の基板１１，１２間に前記液晶１３を封入するためのシール材１４と、前記一対の基板１１，１２を挟んで配置された一対の偏光板１５，１６と、を備えている。
【００２０】
そして、この表示パネル１０の前面は、図１に示すように、一対の偏光板１５，１６よりも内側の二点鎖線αで囲った領域に形成され、画像が表示される表示領域１０ａと、その表示領域１０ａを除いた領域である周辺領域１０ｂとに区分されている。
【００２１】
また、この表示パネル１０は、その一方の基板１２、すなわち後側の基板１２の一辺が延長され、その延長部分１２ａに、前記表示パネル１０を駆動するための図示しない集積回路が載置され、この前記集積回路に複数の信号、電源等の駆動信号を供給するための図示しない配線が形成された配線基板１７が接続されている。この配線基板１７は前記表示パネル１０の一方の基板１２からその基板面と平行な方向に延出している。また、前記配線基板１７には、後述する面状光源２０を駆動するための信号、電源等を供給するための図示しない光源用配線も形成されている。
【００２２】
前記表示パネル１０としては、例えば、液晶１３の液晶分子を、前記一対の基板１１，１２間で実質的に９０°ツイスト配向させたツイステッドネマチック型の表示パネル、前記一対の基板１１，１２間で液晶分子を９０°以上ツイスト配向させたＳＴＮ型、液晶分子を基板１１，１２面に対して実質的に垂直に配向させた垂直配向型、液晶分子の分子長軸を一方向に揃えて基板１１，１２の面と実質的に平行に配向させた非ツイストの水平配向型、液晶分子をベンド配向させるベンド配向型、あるいは強誘電性または反強誘電性液晶を用いた液晶表示パネルのいずれでも適用することができる。
【００２３】
さらに、前記表示パネル１０としては、一対の基板１１，１２のいずれか一方、例えば後側の基板１２の内面に、複数の画素を形成するための画素電極と、前記画素電極と絶縁して形成された複数の対向電極とを設け、これらの電極間に横電界（基板面に沿う方向の電界）を発生させて液晶分子の配向状態を変化させる横電界制御型の液晶表示パネルであってもよい。またさらには、薄膜トランジスタを用いたアクティブ駆動型、あるいは複数の行電極と複数の列電極とを互いに交差させて配置したパッシブ駆動型の液晶表示パネル、若しくはエレクトロルミネッセンス効果を用いたＥＬ表示パネルであっても良い。
【００２４】
前記表示パネル１０の後側に該表示パネルと重ねられるように配置された面状光源２０は、外形の平面形状が概ね矩形形状の透明な板状部材からなり、その矩形の一方の辺に設けられた入射端面２１ａから入射した光を、一方の光出射面２１ｂから出射させる導光板２１と、前記導光板２１の後側に出射する光を反射する反射板２２と、前記導光板２１の前側に配置された複数のプリズムシート２３ａ，２３ｂ、拡散シート２３ｃと、前記導光板２１の入射端面２１ａに対向させて配置された複数のＬＥＤからなる光源２４と、この光源２４を前記導光板２１の入射端面２１ａに対向させた位置で保持し、且つ前記複数のＬＥＤに電力を供給する光源用配線基板２５と、を備えている。
【００２５】
前記導光板２１は、透明なアクリル樹脂等を金型内に射出して成型する射出成型により形成されたものであり、前記表示パネル１０に向かって光を照射する矩形型の主部を有している。そして、この導光板２１の主部は、図１に二点鎖線βで囲って示したように、前記表示パネル１０の表示領域１０ａに対応する表示領域発光エリア２１ｂ1と、前記表示領域発光エリア２１ｂ1の周縁に設けられ、その表示領域発光エリア２１ｂ1の周辺の照明光量を均一化すための表示領域発光周辺エリア２１ｂ2とからなる。この表示領域発光周辺エリア２１ｂ2の周縁に、該表示領域発光周辺エリア２１ｂ2の外方に向かって突出する複数のイジェクトピン当接部２１ｃが前記導光板２１と一体的に設けられている。イジェクトピンとは射出成形において、金型から成形部品（導光板）を取り出す時に部品を押し出すピンのことであり、このイジェクトピン当接部２１ｃに前記イジェクトピンが当接し、金型から導光板２１が押出される。
【００２６】
すなわち、前記導光板２１は、表示領域発光エリア２１ｂ1の外方に、予め定めた幅を持った表示領域発光周辺エリア２１ｂ2が設けられ、そのさらに外方に、イジェクトピンが当接するイジェクトピン当接部２１ｃが複数形成されている。この実施例では、これらのイジェクトピン当接部２１ｃが矩形の平面形状を有する突出部として形成され、前記表示領域発光周辺エリア２１ｂ2の周辺に略等間隔で複数配列されている。また、前記導光板２１の前面側に配置される複数のプリズムシート２３ａ，２３ｂ、拡散シート２３ｃは、それぞれ前記導光板２１の平面形状と同じ形に形成され、前記導光板２１と重ねて配置されている。
【００２７】
前記導光板２１の前記入射端面２１ａには、１つ又は複数個のＬＥＤ（発光ダイオード）等からなる光源２４が配置され、この光源２４は前記光源用配線基板２５のＬＥＤ保持部２５ａにおいてその後側に設置され、この光源用配線基板２５に形成された図示しない配線に接続されている。また、前記ＬＥＤ保持部２５ａからＬ字型に屈曲させて形成され、図示しない配線が形成された延長基板２５ｂは、その先端が前記配線基板１７の前記光源用配線まで延長され、互いに接続されている。すなわち、前記面光源の光源２４は、前記配線基板１７の光源用配線から前記光源用配線基板２５の配線を介して供給される電流により点灯状態が制御される。
【００２８】
前記反射板２２は、光反射特性を持った樹脂フィルム、または、金属膜をコーティングした樹脂フィルム等からなり、前記導光板２１に入射した光のうち、前記導光板２１から前記表示パネル１０の方向以外の方向に出射する光の少なくとも一部を再び前記導光板２１内へ戻して前記導光板２１の光出射面２１ｂから前記表示パネル１０へ向けて出射するように、前記導光板２１の後側に配置されている。
【００２９】
前記表示パネル１０と前記面状光源２０とは、樹脂によって形成された矩形型の平面形状を有す枠状のフレーム３０に保持されている。このフレーム３０は、前記表示パネル１０の周辺部を支持する枠状のパネル収納部３０ａと、そのパネル収納部３０ａよりも後側に前記面状光源２０を収納する面状光源収納部３０ｂを備えている。
【００３０】
前記フレーム３０の面状光源収納部３０ｂは、枠部３０ｂ2と、前記枠部３０ｂ2から内側に突出した複数のパネル保持部３０ｂ1とが設けられている。前記パネル保持部３０ｂ1は前記枠部３０ｂ2の少なくとも一つの辺に複数設けられており、本実施形態では前記パネル保持部３０ｂ1は前記枠部３０ｂ2の一つの辺につき二つまたは三つ設けられている。また、前記複数のパネル保持部３０ｂ1のうち隣り合う二つのパネル保持部３０ｂ1の間に前記イジェクトピン当接部２１ｃが配置される。このとき、前記隣り合う二つのパネル保持部３０ｂ1はそれぞれ前記イジェクトピン当接部２１ｃと隣接している。図２に示すように、前記導光板２１とその導光板２１と同一の形状に形成された２枚のプリズムシート２３ａ、２３ｂと拡散シート２３ｃと反射板２２とからなる面状光源２０が前記面状光源収納部３０ｂに収納されている。
【００３１】
このとき、前記フレーム３０の前記枠部３０ｂ2と前記導光板２１の表示領域発光周辺エリア２１ｂ2との間には、前記イジェクトピン当接部２１ｃが配置された突出部配置領域７０が、前記導光板２１の表示領域発光周辺エリア２１ｂ2をその全周にわたって取り囲むようにして介在されている。この突出部配置領域７０は、前記導光板２１の表示領域発光周辺エリア２１ｂ2の所定の辺から外方に向けて、前記導光板２１の前記イジェクトピン当接部２１ｃが突出する長さと同じ所定の幅を、前記導光板２１の表示領域発光周辺エリア２１ｂ2のうち前記イジェクトピン当接部２１ｃが形成された所定の辺の全長にわたって有している。また、本実施形態では、前記突出部配置領域７０の前記所定の幅は、前記導光板２１の表示領域発光周辺エリア２１ｂ2の全周に沿って略一定となっている。
【００３２】
そして、前記導光板２１のイジェクトピン当接部２１ｃの側面２１ｂ3の一つが前記枠部３０ｂ2の内側面３０ｂ3に対向するように、該イジェクトピン当接部２１ｃは前記突出部配置領域７０の全幅にわたって配置され、前記フレーム３０に設けられたパネル保持部３０ｂ1の側面３０ｂ4の一つが前記導光板２１の表示領域発光周辺エリア２１ｂ2の外側面２１ｂ4に対向するように、該パネル保持部３０ｂ1は前記突出部配置領域７０の全幅にわたって配置されている。
【００３３】
また、前記イジェクトピン当接部２１ｃの側面２１ｂ3の第一の所定領域と、前記パネル保持部の側面３０ｂ4のうち、前記イジェクトピン当接部２１ｃの第一の所定領域と対向する第二の所定領域とが互いに平行になるように前記イジェクトピン当接部２１ｃと前記パネル保持部３０ｂ1が形成されている。
【００３４】
そして、前記パネル保持部３０ｂ1の前面は前記表示パネル１０を保持している。また、前記表示パネル１０の後側に固定されている偏光板１６が遮光性粘着テープ６０によって前記パネル保持部３０ｂ1に貼り付けられることで、前記表示パネル１０がパネル保持部３０ｂ1に固定されるとともに前記導光板２１の周辺が遮光される。
【００３５】
また、前記フレーム３０のパネル収納部３０ａには、前記基板１２の延長部１２ａに接続された配線基板１７が導出する部分に、パネル収納部３０ａの枠の一部が切欠かれた配線基板導出部３０ａ1と、前記光源２４を載置した光源用配線基板２５が導出する部分が切り欠かれた光源用配線導出部３０ａ2とが形成されている。
【００３６】
そして、前記フレーム３０の前側に設けられたパネル収納部３０ａには、前記表示パネル１０が挿入され、また、前記フレーム３０の後側に設けられた面状光源収納部３０ｂには、前記拡散シート２３ｃ、２枚のプリズムシート２３ｂ，２３ａ、導光板２１、及び反射板２２が挿入され、このフレーム３０の後側から、配線基板１７と光源用配線基板２５とを導出するための切欠き部４０ａを設けた後ケース４０を、前記配線基板１７と光源用配線基板２５とが前記切欠き部４０ａを通るように配置して嵌め込むことによって、前記面状光源２０が後ケース４０によって保持される。
【００３７】
さらに、前記表示パネル１０が固定され、前記面状光源２０と後ケース４０が装着されたフレーム３０は、前記表示パネル１０の表示領域１０ａに対応する開口部５０ａと、側面に配線基板１７と光源用配線基板２５とを導出するための切欠き部５０ｂとが形成された前ケース５０を、前記切欠き部５０ｂに光源用配線基板２５と配線基板１７とを通るように配置して前側から、嵌め合わされている。
【００３８】
次に、配線基板１７の光源用配線の位置に前記光源用配線基板２５を配置させ、それぞれの導体を半田付けすることにより液晶表示装置が組み立てられている。
【００３９】
この表示装置は、画像を表示する表示領域１０ａと、前記表示領域１０ａの周辺に設けられた周辺領域１０ｂとを有する表示パネル１０と、枠部３０ｂ2と該枠部３０ｂ2から枠の内方に突出させて設けられ前記表示パネル１０の前記周辺領域１０ａを後側から保持するパネル保持部３０ｂ1とを有するフレーム３０と、前記フレーム３０の内方に前記表示パネル１０と重ねられるように配置された導光板２１と、を備える表示装置であって、前記導光板２１は、前記表示パネル１０の前記表示領域１０ａに重なる主部と、該主部の外方に向かって突出する形状で該主部に一体的に設けられたイジェクトピン当接部２１ｃとを有し、前記フレーム３０の前記枠部３０ｂ2と前記導光板２１の前記主部との間には、前記イジェクトピン当接部２１ｃが配置された突出部配置領域７０が、前記導光板２１の前記主部をその全周にわたって取り囲むように介在されており、該突出部配置領域７０は、前記導光板２１の前記主部から外方に向けて前記イジェクトピン当接ピン２１ｃが突出する長さと同じ幅を、前記導光板２１の前記主部のうち前記イジェクトピン当接ピン２１ｃが形成された辺の全長にわたって有し、前記表示パネル１０が前記突出部配置領域７０内で前記パネル保持部３０ｂ1によって保持されているので、前記表示装置１のうち表示パネル１０の表示領域１０ａよりも外方に配置される枠状の部分の幅、即ち、表示領域１０ａの周縁から表示装置１の外側面までの距離１ａを短くすることができる。
【００４０】
比較例として従来の液晶表示装置の導光板２６を図７に、一部の断面を図８に示した。これらの図において、導光板２６は透明なアクリル樹脂を用いて射出成型により形成され、表示パネル１８に向かって光を照射する主部を有している。そして、この導光板の主部は、表示パネル１８の表示領域１８ａに対応する表示領域発光エリア２６ｂ1と、前記表示領域発光エリア２６ｂ1の周縁に設けられ、その表示領域発光エリア２６ｂ1の周囲の照明光量を均一化すための表示領域発光周辺エリア２６ｂ2とからなり、この表示領域発光周辺エリア２６ｂ2の周縁に、表示領域発光周辺エリア２６ｂ2から延出した枠状のイジェクトピン当接部２６ｃが形成されている。
【００４１】
このとき、図３における表示領域発光エリア２１ｂ1の表示パネルの一端辺と平行な方向に沿った幅は、図８における表示パネルの一端辺と平行な前記方向に沿った表示領域発光エリア２６ｂ1の幅と等しく、図３における表示領域発光周辺エリア２１ｂ2の表示パネルの一端辺と平行な方向に沿った幅は、図８における表示領域発光周辺エリア２６ｂ2の表示パネルの一端辺と平行な前記方向に沿った幅と等しい。また、図４におけるイジェクトピン当接部２１ｃの表示パネルの一端辺と平行な方向に沿った幅は、図８におけるイジェクトピン当接部２６ｃの表示パネルの一端辺と平行な前記方向に沿った幅と等しい。
【００４２】
そして、前記フレーム３１は、図８に示すように、面状光源収納部３１ｂを有しており、その面状光源収納部３１ｂに前記導光板２６が収納されている。また、前記面状光源収納部３１ｂは枠部３１ｂ2と、前記枠部３１ｂ2から延出されて設けられたパネル保持部３１ｂ1とを備え、前記パネル保持部３１ｂ1の前面が前記表示パネル１８の周辺領域１８ｂを支持している。
【００４３】
このような、図７、図８に示した比較例では、導光板２６が表示領域発光エリア２６ｂ1と、その周縁に設けられた表示領域発光周辺エリア２６ｂ2とを有し、さらに該表示領域発光周辺エリア２６ｂ2の周縁から枠状のイジェクトピン当接部２６ｃが前記表示領域発光周辺エリア２６ｂ2の全周にかけて延出して形成されている。この場合、フレーム３１のパネル保持部３１ｂ1をイジェクトピン当接部２６ｃの外方に設ける必要がある。従って、この比較例では、パネル保持部３１ｂ1の幅とイジェクトピン当接部２６ｃの幅と表示領域発光周辺エリア２６ｂ2の幅とが全て表示装置の表示領域の周縁から表示装置の外側面までの距離に含まれる。
【００４４】
対して、本実施形態の表示装置１は、前記導光板２１が前記表示パネル１０の表示領域１０ａに重なる主部と、該主部の外方に向かって突出する形状で該主部に一体的に設けられたイジェクトピン当接部２１ｃとを有し、前記フレーム３０の前記枠部３０ｂ2と前記導光板２１の前記主部との間には、前記イジェクトピン当接部２１ｃが配置された突出部配置領域７０が、前記導光板２１の表示領域発光周辺エリア２１ｂ2をその全周にわたって取り囲むように介在されており、該突出部配置領域７０は、前記導光板２１の前記主部から外方に向けて前記イジェクトピン当接ピン２１ｃが突出する長さと同じ幅を、前記導光板２１の前記主部のうち前記イジェクトピン当接ピン２１ｃが形成された辺の全長にわたって有し、前記表示パネル１０が前記突出部配置領域７０内で前記パネル保持部３０ｂ1によって保持されている。
【００４５】
上記構成により、本実施形態の表示装置１はイジェクトピン当接部２１ｃが導光板から突出した方向において、イジェクトピン当接部２１ｃが配置される領域とパネル保持部３０ｂ1が配置される領域とが、突出部配置領域７０として共通化されるので、パネル保持部３０ｂ1の幅又はイジェクトピン当接部２１ｃの幅のいずれか一方と、表示領域発光周辺エリア２１ｂ2の幅とだけが表示装置の表示領域の周縁から表示装置の外側面までの距離に含まれることとなる。従って、上述の比較例と比べて、本発明はイジェクトピン当接部２１ｃ又はパネル保持部３０ｂ1の幅の分だけ、比較例と比べて表示領域の周縁から表示装置の外側面までの距離を短くすることができる。
【００４６】
尚、上述した実施形態では、前記フレーム３０の前記パネル保持部３０ｂ1に粘着テープ６０を配置し、この粘着性によって表示パネル１０と前記フレーム３０とを固定するようにした実施形態を例示したが、この発明の表示装置は、これに限ることなく、表示パネル１０や導光板２１等を前後のケース４０，５０で挟み込むことによって固定するものであっても良い。
【００４７】
本実施形態の表示装置１は、画像を表示する表示領域１０ａと該表示領域１０ａの周辺に設けられた周辺領域１０ｂとを有する表示パネルと、枠部３０ｂ2と、該枠部３０ｂ2から枠の内方に突出させて設けられ前記表示パネル１０の前記周辺領域１０ｂを後側から保持するパネル保持部３０ｂ1とを有するフレーム３０と、前記フレーム３０の内方に前記表示パネル１０と重ねられるように配置された導光板２１と、を備えており、前記導光板２１は、前記表示パネル１０の表示領域１０ａに重なる主部と、該主部の外方に向かって突出する形状で該主部の周縁に一体的に設けられたイジェクトピン当接部２１ｃとを有し、前記フレーム３０の前記枠部３０ｂ2と前記導光板２１の前記主部との間には、前記イジェクトピン当接部２１ｃが配置された突出部配置領域７０が前記導光板２１の前記主部をその全周にわたって取り囲むように介在されており、該突出部配置領域７０は、前記導光板２１の前記主部から外方に向けて前記イジェクトピン当接部２１ｃが突出する長さと同じ幅を、前記導光板２１の前記主部のうち前記イジェクトピン当接部２１ｃが形成された辺の全長にわたって有し、前記表示パネル１０が前記突出部配置領域７０内で前記パネル保持部３０ｂ1によって保持されているので、前記イジェクトピン当接部２１ｃ又は前記パネル保持部３０ｂ1の分だけ前記表示装置１のうち表示パネル１０の表示領域１０ａよりも外方に配置される枠状の部分の幅、即ち、表示領域１０ａの周縁から表示装置１の外側面までの距離１ａを短くすることができる。
【００４８】
また、前記導光板２１の前記主部は、前記表示パネル１０の表示領域１０ａに照明光を照射する表示領域発光エリア２１ｂ1と、前記表示領域発光エリア２１ｂ1の周囲の照明光を均一化するために前記表示領域発光エリア２１ｂ1の周辺に設けられた表示領域発光周辺エリア２１ｂ2と、からなり、前記イジェクトピン当接部２１ｃは前記表示領域発光周辺エリア２１ｂ2の周縁に該表示領域発光周辺エリア２１ｂ2の外方に向かって突出する形状で一体的に設けられていることを特徴とするので、前記表示パネルに効果的に照明光を照射することができる。
【００４９】
この表示装置１において、前記導光板２１のイジェクトピン当接部２１ｃの側面２１ｂ3のうちの一つが前記フレーム３０の枠部３０ｂ2の内側面３０ｂ3に対向するように、該イジェクトピン当接部２１ｃは前記突出部配置領域７０の全幅にわたって配置され、前記パネル保持部３０ｂ1の側面３０ｂ4のうちの一つが前記導光板２１の前記主部の外側面２１ｂ4に対向するように、該パネル保持部３０ｂ1は前記突出部配置領域７０の全幅にわたって配置されているので、パネル保持部３０ｂ1は確実に前記表示パネル１０を保持することができる。
【００５０】
また、前記パネル保持部３０ｂ1と前記イジェクトピン当接部２１ｃとが隣接しているので、前記導光板２１をフレーム３０に確実に位置合わせすることができる。
また、前記パネル保持部３０ｂ1は前記フレーム３０の前記本体部の少なくとも一つの辺に複数設けられており、前記複数のパネル保持部３０ｂ1のうち隣り合う二つのパネル保持部３０ｂ1の間に前記イジェクトピン当接部２１ｃが配置されるので、前記パネル保持部３０ｂ1と、前記イジェクトピン当接部２１ｃとが対向する総側面積が広くなり、導光板２１を安定した状態でフレーム３０に固定することができる。
【００５１】
［実施形態２］
図５〜図６はこの発明の第２の実施形態を示しており、図５はこの第２の実施形態の表示装置に適用される面状光源に用いられる導光板２１０を示す斜視図、図６はこの第２の実施形態の表示装置に適用されるフレーム３００を示す斜視図である。
尚、この第２の実施形態は、第１の実施形態に比べて、導光板２１０と、それを収納するフレーム３００の形状が異なるものであり 、その他の構造は同一であるため、表示装置の構成の説明は省略する。
【００５２】
前記導光板２１０は、図５に示すように、透明なアクリル樹脂等を金型内に射出して成型する射出成型により形成されたものであり、表示パネルに向かって光を照射する矩形型の主部を有している。この導光板２１０の主部は、前記表示パネルの表示領域に対応する表示領域発光エリア２１０ｂ1と、前記表示領域発光エリア２１０ｂ1の周縁に設けられ、その表示領域発光エリア２１０ｂ1の周囲の照明光量を均一化すための表示領域発光周辺エリア２１０ｂ2とからなり、この表示領域発光周辺エリア２１０ｂ2の周縁に、該表示領域発光周辺エリア２１０ｂ2の外方に向かって波型形状の曲線状に突出した平面形状を有するイジェクトピン当接部２１０ｃが前記導光板２１０と一体的に設けられている。このイジェクトピン当接部２１０ｃは前記射出成型時にイジェクトピンが当接する部分である。
【００５３】
すなわち、前記導光板２１０は、表示領域発光周辺エリア２１０ｂ2の外方に、イジェクトピン当接部２１０ｃが、曲線を持って略等間隔に突出する波型形状の平面形状を有する突出部として複数配列されている。
【００５４】
そして、図６に示すように、前記フレーム３００の面状光源収納部３００ｂは、枠部３００ｂ2と前記導光板２１０の周囲に突出したイジェクトピン当接部２１０ｃの間の凹部に対応するように前記枠部３００ｂ2から内側に突出した複数のパネル保持部３００ｂ1とが設けられており、前記パネル保持部３００ｂ1は、連続した曲線状の平面形状を有すように形成されている。
【００５５】
このとき、前記面状光源収納部３００ｂの前記枠部３００ｂ2と前記導光板２１０の表示領域発光周辺エリア２１０ｂ2との間には、前記イジェクトピン当接部２１０ｃが配置された突出部配置領域７００が、前記導光板２１０の表示領域発光周辺エリア２１０ｂ2をその全周にわたって取り囲むように介在されている。この突出部配置領域７００は、前記導光板２１０の表示領域発光周辺エリア２１０ｂ2から外方に向けて前記導光板２１０の前記イジェクトピン当接部２１０ｃが突出する長さと同じ所定の幅を、前記導光板２１０の表示領域発光周辺エリア２１０ｂ2のうち前記イジェクトピン当接部２１０ｃが形成された辺の全長にわたって有している。また、本実施形態では、前記突出部配置領域７００の前記所定の幅は、前記導光板２１０の表示領域発光周辺エリア２１０ｂ2の全前記導光板２１０の前記表示領域発光周辺エリア２１０ｂ2の全周に沿って略一定となっている。
【００５６】
そして、前記導光板２１０のイジェクトピン当接部２１０ｃの側面２１０ｂ3が前記フレーム３００に設けられたパネル保持部３００ｂ1の側面３００ｂ3に対向するように該イジェクトピン当接部２１０ｃは突出部配置領域７００の全幅にわたって配置されている。
【００５７】
そして、前記導光板２１０が前記面状光源収納部３００ｂに収納され、前記複数の波型形状の平面形状を有するパネル保持部３００ｂ1の前面が前記表示パネル１０を支持する。
【００５８】
本実施形態における表示装置の前記イジェクトピン当接部２１０ｃは、前記導光板２１０の主部の外方に向かって波型形状の曲線状に突出する平面形状を有し、前記パネル保持部３００ｂ1は、前記フレーム３００の内側に向かって波型形状の曲線状に突出する平面形状を有し、前記面状光源収納部３００ｂの前記枠部３００ｂ2と前記導光板２１０の前記主部との間には、前記イジェクトピン当接部が配置された突出配置領域７００が、表示領域発光周辺エリア２１０ｂ2をその全周にわたって取り囲むように介在されており、該突出部配置領域７００は、前記導光板２１の前記主部から外方に向けて前記イジェクトピン当接ピン２１０ｃが突出する長さと同じ幅を、前記導光板２１０の前記主部のうち前記イジェクトピン当接部２１０ｃが形成された辺の全長にわたって有し、前記表示パネルが前記突出部配置領域７００内で前記パネル保持部３００ｂ1によって保持されているので、表示装置のうち表示パネルの表示領域よりも外方に配置される枠状の部分の幅、即ち、表示領域の周縁から表示装置の外側面までの距離を短くすることができる。
【００５９】
また、導光板２１０のイジェクトピン当接部２１０ｃとフレーム３００のパネル保持部３００ｂ1をそれぞれ曲線で形成される波型形状にしたので、鋭い角が無く、それぞれの部材の成型が容易になる。
【００６０】
以上実施形態に基づいて本発明を説明したが、本発明は上述した実施形態に限定されるものではなく、例えば表示領域発光周辺エリア２１ｂ2の一の辺に隣接、又は対向する他の辺に沿った突出部配置領域は、前記一の辺に沿った突出部配置領域の幅と異なっていてもよい。
また、パネル保持部３０ｂ1が表示パネル１０を支持することができれば、前記イジェクトピン当接部２１ｃと前記パネル保持部３０ｂ1とは前記突出部配置領域７０の全幅にわたって必ずしも配置されなくてもよい。
また、前記イジェクトピンエリア２１ｃ及び前記パネル保持部３０ｂ1の平面形状を三角形状、円弧状などにしてもよく、本発明の要旨の範囲内で種々の変形や応用が可能なことは勿論である。
【符号の説明】
【００６１】
１０…表示パネル、１０ａ…表示領域、１０ｂ…周辺領域、
１１，１２…透明基板、１２ａ…延長部分、１３…液晶、１４…シール材、１５，１６…偏光板、１７…配線基板、
２０…面状光源、２１，２１０…導光板、２１ａ…入射端面、２１ｂ…光出射面、２１ｂ1，２１０ｂ1…表示領域発光エリア（表示領域発光部、主部）、２１ｂ2，２１０ｂ2…表示領域発光周辺エリア（表示領域発光周辺部、主部）、２１ｃ，２１０ｃ…イジェクトピン当接部（突出部）、２２…反射板、２３ａ，２３ｂ…プリズムシート、２３ｃ…拡散シート、２４…光源、２５…光源用配線基板、２５ａ…ＬＥＤ保持部、２５ｂ…延長基板、
３０，３００…フレーム、３０ａ，３００ａ…パネル収納部、３０ａ1…配線基板導出部、３０ａ2…光源用配線導出部、３０ｂ，３００ｂ…面状光源収納部、３０ｂ1，３００ｂ1…パネル保持部、３０ｂ2，３００ｂ2…枠部（本体部）、
４０…後ケース、４０ａ…切欠き部、
５０…前ケース、５０ａ…開口部、５０ｂ…切欠き部、
６０…粘着テープ。
【図１】
2012004056.tif 000003
【図２】
2012004056.tif 000004
【図３】
2012004056.tif 000005
【図４】
2012004056.tif 000006
【図５】
2012004056.tif 000007
【図６】
2012004056.tif 000008
【図７】
2012004056.tif 000009
【図８】
2012004056.tif 000010